(57)【要約】【課題】  取扱いが容易であり、防水効果により結露、湿度等の影響を受けることなく内部回路が保護され、窓の開閉の邪魔にならない警報信号発生装置を提供する。【解決手段】  窓ガラス１９の破壊のみを検知して警報信号を発する電子回路がバッテリ交換開閉部４を有する薄板状のトップキャビネット１と、裏面を平滑面としたボトムキャビネット２との間に内蔵され、前記トップキャビネット１と前記ボトムキャビネット２との重合周縁部及び前記トップキャビネット１に設けられたバッテリ交換開閉部４がシール部材５、６を介して気密封鎖されてなり、好ましくは、厚さが６ｍｍ以下に構成された警報信号発生装置。【選択図】        図１
0003108993.tif 000002
【実用新案登録請求の範囲】
【請求項１】
窓ガラスの破壊のみを検知して警報信号を発する電子回路が、バッテリ交換開閉部を有する薄板状のトップキャビネットと裏面を平滑面としたボトムキャビネットとの間に内蔵され、前記トップキャビネットと前記ボトムキャビネットとの重合周縁部及び前記トップキャビネットに設けられたバッテリ交換開閉部がシール部材を介して気密封鎖されてなることを特徴とする警報信号発生器。
【請求項２】
厚さが６ｍｍ以下であることを特徴とする請求項１に記載の警報信号発生器。
【請求項３】
ボトムキャビネットの裏面に両面接着シートの片面が貼着されてなることを特徴とする請求項１又は２に記載の警報信号発生器。
【考案の詳細な説明】
【技術分野】
【０００１】
本考案は、窃盗犯等の屋内侵入を予防する警報信号発生器に関する。
【背景技術】
【０００２】
屋内に忍び込む窃盗犯罪には、玄関の鍵をあけて屋内に忍び込むいわゆるピッキングのほか、窓ガラスを破壊し、さらに窓の内側に設けられたクレセント錠等を外して屋内に忍び込むパターンが多い。
【０００３】
前記窓ガラスを破壊して屋内に忍び込む窃盗犯罪に対処する方法として、強化ガラスの採用（例えば、特開２０００―２０３８９５号公報参照。）、あるいは窓ガラスや窓枠にセンサーを設け、窓ガラスが割られたり、窓が開放された時に警報音を発生する侵入予防装置（例えば、特開２００３―１２８４４３号公報参照。）を設けることが提案されている。
【０００４】
また、本願出願人は、窓ガラスの破損のみを、他の要因による窓ガラスの振動等と区別して正確に検知して警報音を発生する警報信号出力装置（特開２００３―３６４８３号公報参照。）を提案している。
【０００５】
前記本願出願人の提案に係る警報信号出力装置は、窓ガラスの破損以外の、例えば、雨や風、さらに周辺環境で発生した騒音や衝撃音による窓ガラスの振動に対しては応動することなく、窓ガラスの破損のみによって応動することを特徴としている。したがって、窓ガラスの破損以外の振動によって作動することがなく、いわゆる誤作動がない。
【特許文献１】特開２０００―２０３８９５号公報公報
【特許文献２】特開２００３―１２８４４３号公報
【特許文献３】特開２００３―３６４８３号公報
【考案の開示】
【考案が解決しようとする課題】
【０００６】
前記強化ガラスへの採用あるいは変更は高価であり、また、前記従来の侵入予防装置は、窓ガラスが割られたり、さらには窓が開放された時の検知装置及び警報音を発生させるための装置等の各種機械的装置を、窓ガラス、窓枠、その他に窓開閉の邪魔にならないように配置しなければならず装置及びそのセットに費用と手数を要するものであった。
【０００７】
本考案は上記事情に鑑み、全体を偏平小型に構成し、窓ガラスの破壊が予想されるクレセント錠付近の窓ガラスの内側に貼着等するだけでよく取扱いが容易であり、結露、湿度等、水の影響を受けることがなく、さらには窓の開閉の邪魔になることがない警報信号出力器を提供することを特徴とする。
【課題を解決するための手段】
【０００８】
本考案の警報信号出力器は、窓ガラスの破壊のみを検知して警報信号を発する電子回路がバッテリ交換開閉部を有する薄板状のトップキャビネットと、裏面を平滑面としたボトムキャビネットとの間に内蔵され、前記トップキャビネットと前記ボトムキャビネットとの重合周縁部及び前記トップキャビネットに設けられたバッテリ交換開閉部がシール部材を介して気密封鎖されてなることを特徴とする。
【０００９】
前記本考案によれば、薄板状のトップキャビネットと裏面を平滑面としたボトムキャビネットとにより全体が偏平状に構成され、後に述べるように窓の開閉時に邪魔になることがない。
【００１０】
また、前記ボトムキャビネットの裏面が平滑面であるため、該裏面を破壊が予想されるクレセント錠付近の窓ガラスの内側に両面接着テープ等により貼着するだけでよく取扱いが容易である。
【００１１】
さらにまた、前記トップキャビネットと前記ボトムキャビネットとの重合周縁部及び前記トップキャビネットに設けられたバッテリ交換開閉部がシール部材を介して気密封鎖されているために防水効果に優れ、窓ガラスの結露、湿度等に対して内蔵回路が保護される。
【００１２】
本考案の実施の一形態は、厚さが６ｍｍ以下であることを特徴とする。この実施の一形態によれば、従来提供されている窓、例えば、ほとんどのサッシ窓に取り付けた場合にも該サッシ窓の開閉の邪魔になることがない。
【００１３】
本考案の他の実施の一形態は、ボトムキャビネットの裏面に両面接着シートの片面が貼着されてなることを特徴とする。この実施の一形態によれば、本器を買い求めたユーザーは、あらかじめ、ボトムキャビネットの裏面に片面が貼着された両面接着テープの外側面に残されたセパレータを剥離してそのまま窓ガラスの好適な地点に貼着することができる。もっとも、本器と離して両面接着テープを準備し、一緒にパッケージしておいてもよい。
【考案を実施するための最良の形態】
【００１４】
図面は本考案の実施の一形態を示すもので、図１は全体斜視図、図２は分解斜視図、図３は図１のＩＩＩ−ＩＩＩ線拡大断面図、図４は使用状態を示す斜視図である。
【００１５】
図中、１はトップキャビネット、２はボトムキャビネットであり、本発明では、前記トップキャビネット１と、前記ボトムキャビネット２との間に窓ガラスの破壊のみを検知して警報信号を発する前記本願出願人が提案した電子回路（詳細を図示せず）が内蔵される。
【００１６】
なお、前記警報信号は警報音とされるが、該警報音は、本願警報信号発生器自体からの警報音のほか、別に配置した受信機から発音させる警報音をも含む。
【００１７】
前記トップキャビネット１は、薄板状に形成され、その内側面に前記電子回路の受入れ部３が形成され、さらに適位置にバッテリ交換開閉部４が設けられている。また、前記ボトムキャビネット２は、プレート状で裏面が平滑面とされ、その上面部が前記トップキャビネット１の内側面とともに前記電子回路の受入れ部３とされる。
【００１８】
本考案では、さらに前記トップキャビネット１と前記ボトムキャビネット２との重合周縁部にシール部材５が介在させられ、前記トップキャビネット１と前記バッテリ交換開閉部４との間にシール部材６が介在させられる。前記シール部材５及び６は適度の柔軟性を有するゴム、合成ゴム、プラスチック等が使用される。
【００１９】
図面実施の一形態では、前記トップキャビネット１の周縁部７が前記シール部材５によって包囲され、該シール部材５の下面部に前記ボトムキャビネット２の周辺部８が適合する段部９が形成されている。
【００２０】
他方、前記ボトムキャビネット２の前記周辺部８の上面には、前記トップキャビネット１のシール部材５の前記段部９に押圧される凹凸条１０が形成されている。なお、前記トップキャビネット1とボトムキャビネット２はビス１１によって一体に形成される。
【００２１】
つぎに前記バッテリ交換開閉部４について述べる。前記トップキャビネット1には、前記バッテリ交換開閉部４が適合させられる凹部１２が形成され、該凹部１２の内周縁に前記シール部材６が埋設状態に設けられる。
【００２２】
さらに前記凹部１２には、バッテリ保持穴１３、適数の係止穴１４等が形成され、該係止穴１４には前記バッテリ交換開閉部４の内側面に設けられた弾性係止片１５が係止させられて閉じられ、該係止片１５の係止に抗して開放方向に力を加えると前記係止片１５が前記係止穴１４から外されて開かれ、バッテリ（図示せず）の交換を行うことができるように形成されている。なお、前記構成の本願警報信号発生器Ａは、厚さが６ｍｍ以下に構成される。その他、必要に応じてＯＮ、ＯＦＦスイッチが設けられる。
【００２３】
図３中、１６は、予め前記ボトムプレート２に貼着され、あるいは本願警報信号発生器Ａの使用に先立って貼着される両面接着シートであり、図示の場合には、すでに片面のセパレータ（図示せず）が剥離され、外側面のセパレータ１７が残されている。
【００２４】
図４には、本願警報信号発生器Ａの使用状態図が示されている。すなわち、前記バッテリをセットした後、前記ボトムキャビネット２に貼着された両面接着シート１６の残されているセパレータ１７を剥離し、破壊が予想されるクレセント錠１８付近の窓ガラス１９に貼着すればよい。したがって、その取扱いが容易である。
【００２５】
さらに、前記状態において、窓ガラス１９が破壊された場合には、その破壊を検知して警報信号により警報音が発せられて犯罪を予防できるとともに、住人による窓の開閉には邪魔になることがなく、さらにまた、前記シール部材５及び６により全体が気密封鎖されているため防水効果に優れ、窓ガラス１９に生じた結露、湿度等に対して内部回路が保護される。
【図面の簡単な説明】
【００２６】
【図１】本考案の実施の一形態に係る警報信号発生器の全体斜視図である。
【図２】本考案の実施の一形態に係る警報信号発生器の分解斜視図である。
【図３】図１のＩＩＩ−ＩＩＩ線拡大断面図である。
【図４】使用状態を示す斜視図である。
【符号の説明】
【００２７】
１    トップキャビネット
２    ボトムキャビネット
４    バッテリ交換開閉部
５    シール部材
６    シール部材
１６  両面接着シート
【図１】
0003108993.tif 000003
【図２】
0003108993.tif 000004
【図３】
0003108993.tif 000005
【図４】
0003108993.tif 000006